(57)【要約】      （修正有）【課題】潤滑剤の供給が容易で、テレスコピックカバーの寿命の向上が可能なテレスコピックカバーの潤滑方法および潤滑構造を提供する。【解決手段】各カバー体11,12,13,14,15に、中間カバー体12,13,14,15が所定位置に移動した際に連通する貫通孔11a,12a,13a,14a,15aを設ける。５つの貫通孔11a,12a,13a,14a,15aの連通状態に応じて、最内側カバー体16の外周、最も内側の中間カバー体15の外周、内側から２番目の中間カバー体14の外周、外側から２番目の中間カバー体13の外周に潤滑剤を供給する。【選択図】図３
2020179460.tif 000002
【特許請求の範囲】
【請求項１】
最外側カバー体、最内側カバー体、および第１から第Ｎ（ただし、Ｎは２以上の自然数）までの中間カバー体が相対移動可能に重ね合わせられて構成されたテレスコピックカバーの潤滑方法であって、
最外側カバー体および第１から第Ｎまでの中間カバー体の全てに、各中間カバー体が所定位置に移動した際に連通する貫通孔を設けておき、
カバー体同士が相対移動するのに伴って、最外側カバー体の貫通孔に連通する中間カバー体の貫通孔の数を１からＮまでの間で変更することにより、最外側カバー体の貫通孔に潤滑剤を供給することによって、最外側カバー体の貫通孔に連通する貫通孔を介して最内側カバー体および全ての中間カバー体の外周に潤滑剤を供給することを特徴とするテレスコピックカバーの潤滑方法。
【請求項２】
最外側カバー体、最内側カバー体、および第１から第Ｎ（ただし、Ｎは２以上の自然数）までの中間カバー体が相対移動可能に重ね合わせられて構成されたテレスコピックカバーの潤滑構造であって、
最外側カバー体および第１から第Ｎまでの中間カバー体に、複数の貫通孔が設けられるとともに、最外側カバー体の貫通孔に、潤滑剤供給部が設けられており、
前記複数の貫通孔は、カバー体同士が相対移動するのに伴って、最外側カバー体の貫通孔と、第１から第Ｎまでの中間カバー体の貫通孔のうちの最外側カバー体に近い１からＮまでのいずれかの数の貫通孔とが、順次連通するように形成されていることを特徴とするテレスコピックカバーの潤滑構造。
【発明の詳細な説明】
【技術分野】
【０００１】
この発明は、工作機械の直線駆動部を切粉や切削液から保護するテレスコピックカバーに関し、特に、その潤滑方法および潤滑構造に関する。
【背景技術】
【０００２】
工作機械では、ボールねじ、転がりガイド、摺動面等の工作機械の直線駆動部を切粉や切削液から保護するために保護カバーが設けられている。このような保護カバーとして、図４に示すようなテレスコピックカバーがよく知られている。
【０００３】
図４において、テレスコピックカバーは、相対的に前後移動しうるように組み合わされた複数（図示は６つ）のカバー体(11)(12)(13)(14)(15)(16)を有している。これらのカバー体(11)(12)(13)(14)(15)(16)は、最外側のカバー体(11)から順次１回りずつ小さく形成されており、最内側のカバー体(16)が最も小さい形状となっている。最外側のカバー体(11)および最内側のカバー体(16)には、取り付け部材(17)(18)が設けられており、取り付け部材(17)(18)のいずれか一方が直線移動機構（図示略）の移動体に取り付けられ、他方が直線移動機構の固定体または別の移動体に取り付けられる。そして、これらのカバー体(11)(12)(13)(14)(15)(16)の相対的移動によりテレスコピックカバーが全体として前後方向に伸縮（開閉）するようになっている。
【０００４】
カバー体(11)(12)(13)(14)(15)(16)の相対移動をスムーズに行うためには、潤滑剤の供給が必要であり、例えば、特許文献１には、潤滑剤の量を調整するための潤滑剤供給量調整手段を備えた潤滑剤供給装置が開示されている。しかしながら、特許文献１に開示のものでは、潤滑剤供給装置が大掛かりなものとなるため、大幅コスト増などの問題があり、標準的な工作機械への適用が難しいという問題がある。
【０００５】
そのため、潤滑剤（グリース）は、通常、図５に示すようなカバー体(11)(12)(13)(14)(15)(16)同士が重なっている部分に潤滑剤（例えばグリース）を刷毛で塗布していた。
【先行技術文献】
【特許文献】
【０００６】
【特許文献１】特開２０１６−３０５６７８号公報
【発明の開示】
【発明が解決しようとする課題】
【０００７】
刷毛によるグリースの塗布は、狭くて、手の届かない所で、塗りにくかったり、適量を塗り込むことが困難という問題があった。
【０００８】
この発明の目的は、潤滑剤の供給が容易で、テレスコピックカバーの寿命の向上が可能なテレスコピックカバーの潤滑方法および潤滑構造を提供することにある。
【課題を解決するための手段】
【０００９】
この発明によるテレスコピックカバーの潤滑方法は、最外側カバー体、最内側カバー体、および第１から第Ｎ（ただし、Ｎは２以上の自然数）までの中間カバー体が相対移動可能に重ね合わせられて構成されたテレスコピックカバーの潤滑方法であって、最外側カバー体および第１から第Ｎまでの中間カバー体の全てに、各中間カバー体が所定位置に移動した際に連通する貫通孔を設けておき、カバー体同士が相対移動するのに伴って、最外側カバー体の貫通孔に連通する中間カバー体の貫通孔の数を１からＮまでの間で変更することにより、最外側カバー体の貫通孔に潤滑剤を供給することによって、最外側カバー体の貫通孔に連通する貫通孔を介して最内側カバー体および全ての中間カバー体の外周に潤滑剤を供給することを特徴とするものである。
【００１０】
また、この発明によるテレスコピックカバーの潤滑構造は、最外側カバー体、最内側カバー体、および第１から第Ｎ（ただし、Ｎは２以上の自然数）までの中間カバー体が相対移動可能に重ね合わせられて構成されたテレスコピックカバーの潤滑構造であって、最外側カバー体および第１から第Ｎまでの中間カバー体に、複数の貫通孔が設けられるとともに、最外側カバー体の貫通孔に、潤滑剤供給部が設けられており、前記貫通孔は、カバー体同士が相対移動するのに伴って、最外側カバー体の貫通孔と、第１から第Ｎまでの中間カバー体の貫通孔のうちの最外側カバー体に近い１からＮまでのいずれかの数の貫通孔とが、順次連通するように形成されていることを特徴とするものである。
【００１１】
この発明のテレスコピックカバーの潤滑方法および潤滑構造によると、必要な工程としては、最外側カバー体の貫通孔と第１から第Ｎまでの中間カバー体のうちの所要数のカバー体の貫通孔とが連通した状態にカバー体を順次移動させる工程と、最外側カバー体の貫通孔に潤滑剤を供給する工程とを行えばよく、テレスコピックカバーへの潤滑剤の供給が容易となる。これにより、全てのカバー体間に潤滑剤を供給できるので、テレスコピックカバーの動作性が向上し、摩耗の防止および防錆効果が得られて、テレスコピックカバーの寿命が向上する。
【発明の効果】
【００１２】
この発明のテレスコピックカバーの潤滑方法および潤滑構造によれば、潤滑剤の供給が容易となるとともに、寿命が向上する。
【図面の簡単な説明】
【００１３】
【図１】図１は、この発明が適用される工作機械のテレスコピックカバーの１例を示す平面図である。
【図２】図２は、本発明の要部を説明するための図で、図１のII-II線で示す位置における部分断面斜視図である。
【図３】図３（ａ）（ｂ）（ｃ）（ｄ）は、テレスコピックカバーが開いていく途中の状態を示す要部の断面図である。
【図４】図４は、従来のテレスコピックカバーの１例を示す斜視図である。
【図５】図５は、従来のテレスコピックカバーへの潤滑剤供給を説明するための図で、テレスコピックカバーの部分断面斜視図である。
【発明を実施するための形態】
【００１４】
以下、図１から図３までを参照して、この発明のテレスコピックカバーの潤滑方法および潤滑構造の実施形態について説明する。以下の説明において、テレスコピックカバーの伸長する方向（各図の下）を前、テレスコピックカバーの収縮する方向（各図の上）を後というものとする。また、図１の左右を左右といい、上下については、図１の紙面の表側を上、裏側を下というものとする。
【００１５】
テレスコピックカバー(1)は、工作機械の直線移動機構を保護するもので、図１に示すように、直線移動機構を覆うテレスコピックカバー本体(2)と、テレスコピックカバー本体(2)に潤滑剤を供給する潤滑構造(3)と、開閉機構（図示略）とを備えている。
【００１６】
本体(2)は、相対的に前後移動しうるように組み合わされた複数（図示は６つ）のカバー体(11)(12)(13)(14)(15)(16)を有している。これらのカバー体(11)(12)(13)(14)(15)(16)は、最外側のカバー体(11)から順次１回りずつ小さく形成されており、最内側のカバー体(16)が最も小さい形状となっている。そして、これらのカバー体(11)(12)(13)(14)(15)(16)の相対移動によりテレスコピックカバー本体(2)全体が前後方向に伸縮（開閉）するようになっている。
【００１７】
各カバー体(11)(12)(13)(14)(15)(16)は、断面逆Ｕ字状で、その下端部には、カバー体(11)(12)(13)(14)(15)(16)同士が相対移動する際の案内部になる断面Ｌ字状の折り返し部が設けられている。
【００１８】
以下では、外側のカバー体(11)および最内側のカバー体(16)を除くカバー体(12)(13)(14)(15)を中間カバー体と称し、外側から順に、第１の中間カバー体(12)、第２の中間カバー体(13)、第３の中間カバー体(14)および第４の中間カバー体(15)と称する。
【００１９】
潤滑構造(3)は、図１に示すように、平面視Ｕ字状に形成された潤滑剤配管(21)と、潤滑剤配管(21)に潤滑剤を供給するための潤滑剤供給部（図示したものはグリースニップル(22)）と、最内側のカバー体(16)を除く各カバー体(11)(12)(13)(14)(15)に設けられた貫通孔(11a)(12a)(13a)(14a)(15a)とを備えている。
【００２０】
開閉機構は、カバー体(11)(12)(13)(14)(15)(16)同士を相対移動させるもので、例えばパンタグラフと称されているものなどがあるが、周知のものであり、その説明は省略する。
【００２１】
潤滑剤配管(21)は、左右端部がそれぞれ前側に折り曲げられた後側配管部(21a)と、直線状の左側配管部(21b)と、直線状の右側配管部(21c)とからなる。
【００２２】
各配管部(21a)(21b)(21c)は、適宜な箇所において所要の継手(23)(24)(25)で接続されており、継手(23)(24)(25)としては、左側配管部(21b)の前端部および右側配管部(21c)の前端部に配置されたＬ字継手(23)と、後側配管部(21a)の左側の折り曲げ端部と左側配管部(21b)の後端部との接続、後側配管部(21a)の右側の折り曲げ端部と右側配管部(21c)の後端部との接続、および左側配管部(21b)の前半部と後半部との接続にそれぞれ使用されている３つのＴ字継手(24)と、右側配管部(21c)の前半部と後半部との接続に使用されている１つの十字継手(25)とが使用されている。
【００２３】
各継手(23)(24)(25)の複数の接続部のうちの１つは、テレスコピックカバー本体(2)への潤滑剤の供給通路(28)となるバレルニップル（継手）(26)を介してテレスコピックカバー本体(2)の左右側面に臨まされている。
【００２４】
最外側のカバー体(11)には、貫通孔(11a)の周縁に位置するように潤滑剤供給部の支持部としての環状の溶接ボス(27)が固定されており、バレルニップル(26)の反継手側の端部は、この溶接ボス(27)で受けられている。
【００２５】
グリースニップル(22)は、十字継手(25)の外側に取り付けられている。グリースニップル(22)には、図示しないグリースガンから潤滑剤（グリース）の供給が可能とされている。グリースガンを使用することで、１ショットごとの定量供給を行うことができる。
【００２６】
各カバー体(11)(12)(13)(14)(15)の貫通孔(11a)(12a)(13a)(14a)(15a)は、図２に示すように、各カバー体(11)(12)(13)(14)(15)の折り返し部に設けられており、各カバー体(11)(12)(13)(14)(15)同士が重なった状態において互いに連通するとともに、テレスコピックカバー本体(2)が開いていくに連れて、図３に示すように、最外側のカバー体(11)といくつかの中間カバー体(12)(13)(14)(15)の貫通孔(11a)(12a)(13a)(14a)(15a)同士が所定量移動した際に連通するように複数箇所に設けられている。十字継手(25)に接続されたバレルニップル(26)は、最外側のカバー体(11)に設けられた貫通孔(11a)に臨まされている。
【００２７】
グリースニップル(22)から潤滑剤が供給されると、潤滑剤は、十字継手(25)およびバレルニップル(26)によって形成された潤滑剤供給通路(28)を経て、最外側のカバー体(11)に設けられた貫通孔(11a)に供給される。潤滑剤は、また、潤滑剤配管(21)を通り、各継手(23)(24)(25)を経て各バレルニップル(26)へと供給され、潤滑剤供給通路(28)を経て、最外側のカバー体(11)に設けられた貫通孔(11a)に供給される。
【００２８】
図３の（ａ）から（ｄ）までは、テレスコピックカバー本体(2)が開いていくに連れて、潤滑がどのように行われていくかを示している。
【００２９】
図３（ａ）は、基準状態（例えば、完全に閉じた状態）から所要量Ａ移動した状態を示しており、図３（ａ）において、最外側カバー体(11)および第１から第４までの中間カバー体(12)(13)(14)(15)の貫通孔(11a)の全てが重なった状態となっており、この場合、最外側カバー体(11)の貫通孔(11a)に潤滑剤を供給することで、最内側カバー体(16)の外周（最内側カバー体(16)と第４中間カバー体(15)との間）に潤滑剤を供給することができる。
【００３０】
図３（ｂ）は、基準状態から所要量Ｂ移動した状態を示しており、図３（ｂ）において、最外側カバー体(11)および第１から第３までの中間カバー体(12)(13)(14)の貫通孔(11a)(12a)(13a)(14a)同士が重なった状態となっており、この場合、最外側カバー体(11)の貫通孔(11a)に潤滑剤を供給することで、第４中間カバー体(15)の外周（第４中間カバー体(15)と第３中間カバー体(14)との間）に潤滑剤を供給することができる。
【００３１】
図３（ｃ）は、基準状態から所要量Ｃ移動した状態を示しており、図３（ｃ）において、最外側カバー体(11)および第１から第２までの中間カバー体(12)(13)の貫通孔(11a)(12a)(13a)同士が重なった状態となっており、最外側カバー体(11)の貫通孔(11a)に潤滑剤を供給することで、第３中間カバー体(14)の外周（第３中間カバー体(14)と第２中間カバー体(13)との間）に潤滑剤を供給することができる。
【００３２】
図３（ｄ）は、基準状態から所要量Ｄ移動した状態を示しており、図３（ｄ）において、最外側カバー体(11)および第１の中間カバー体(12)の貫通孔(11a)(12a)同士が重なった状態となっており、最外側カバー体(11)の貫通孔(11a)に潤滑剤を供給することで、第２中間カバー体(13)の外周（第２中間カバー体(13)と第１中間カバー体(12)との間）に潤滑剤を供給することができる。
【００３３】
図示省略するが、最外側カバー体(11)および第１の中間カバー体(12)の貫通孔(11a)(12a)同士が重なっていない状態において、最外側カバー体(11)の貫通孔(11a)に潤滑剤を供給することで、第１中間カバー体(12)の外周（第１中間カバー体(12)と最外側カバー体(11)との間）に潤滑剤を供給することができる。
【００３４】
こうして、カバー体(11)(12)(13)(14)(15)(16)同士が相対移動するのに伴って、最外側カバー体(11)の貫通孔(11a)に連通する中間カバー体(12)(13)(14)(15)の貫通孔(12a)(13a)(14a)(15a)の数を１から４までの間で変更することにより、最外側カバー体(11)の貫通孔(11a)に潤滑剤を供給することによって、最外側カバー体(11)の貫通孔(11a)に連通する貫通孔(12a)(13a)(14a)(15a)を介して最内側カバー体(16)および全ての中間カバー体(12)(13)(14)(15)の外周に潤滑剤を供給することができる。
【００３５】
すなわち、貫通孔が図３の（ａ）から（ｄ）の状態になるように、最外側カバー体(11)および複数の中間カバー体(12)(13)(14)(15)の適宜な位置に、複数の貫通孔(11a)(12a)(13a)(14a)(15a)を形成しておくことで、各カバー体(11)(12)(13)(14)(15)(16)が所要位置に達した際に、最外側カバー体(11)の貫通孔(11a)に潤滑剤を供給するだけで、潤滑することができる。貫通孔を形成する適宜な位置は、カバー体(11)(12)(13)(14)(15)(16)の移動のさせ方によって適宜設定すればよい。
【符号の説明】
【００３６】
(1)：テレスコピックカバー
(2)：テレスコピックカバー本体
(3)：潤滑構造
(11)：最外側のカバー体
(11a)：貫通孔
(12)：第１の中間カバー体
(12a)：貫通孔
(13)：第２の中間カバー体
(13a)：貫通孔
(14)：第３の中間カバー体
(14a)：貫通孔
(15)：第４の中間カバー体
(15a)：貫通孔
(16)：最内側のカバー体
(22)：グリースニップル（潤滑剤供給部）
【図１】
2020179460.tif 000003
【図２】
2020179460.tif 000004
【図３】
2020179460.tif 000005
【図４】
2020179460.tif 000006
【図５】
2020179460.tif 000007